【手続補正書】
【提出日】平成20年3月27日(2008.3.27)
【手続補正１】
【補正対象書類名】特許請求の範囲
【補正対象項目名】請求項１
【補正方法】変更
【補正の内容】
【請求項１】
走行機体の後部に設けられた連結機構を介して作業機本体を装着し、前記走行機体から前記作業機本体に動力が伝達されて駆動し、前記作業機本体の幅方向の両端部から幅方向外側に延出している延長作業機体を、それぞれ前記作業機本体側に折り畳み可能に構成された折り畳み農作業機において、
前記延長作業機体の耕耘軸はその両端部が回転自在に支持され、前記両端部のうち前記作業機本体側部を支持する支持部は、前記耕耘軸を僅かに移動可能に支持することを特徴とする折り畳み農作業機。
【手続補正２】
【補正対象書類名】明細書
【補正対象項目名】０００５
【補正方法】変更
【補正の内容】
【０００５】
前述した特許文献１に記載の折り畳み農作業機は、延長側ロータと本体側ロータの各両端部をベアリングを介して支持しているため、作業幅を延長するために延長側ロータと本体側ロータとをクラッチを介して接続する場合、延長側ロータ、本体側ロータの各軸心を一直線状（同軸上）にするのは難しいという問題が発生する。また噛み合った状態の接合部間の心出しが不十分のままで動力が伝達されると延長側ロータが偏心回転して、その応力がクラッチ部に集中して破損に至ることも心配される。
【手続補正３】
【補正対象書類名】明細書
【補正対象項目名】０００７
【補正方法】変更
【補正の内容】
【０００７】
上記目的を達成するために本発明の折り畳み農作業機は、走行機体の後部に設けられた連結機構を介して作業機本体を装着し、走行機体から作業機本体に動力が伝達されて駆動し、作業機本体の幅方向の両端部から幅方向外側に延出している延長作業機体を、それぞれ作業機本体側に折り畳み可能に構成された折り畳み農作業機（例えば、実施形態における耕耘作業機１）において、延長作業機体の耕耘軸はその両端部が回転自在に支持され、両端部のうち作業機本体側部（例えば、実施形態における端部３１ａ１）を支持する支持部は、耕耘軸を僅かに移動可能に支持することを特徴とする。
【手続補正４】
【補正対象書類名】明細書
【補正対象項目名】０００８
【補正方法】変更
【補正の内容】
【０００８】
この発明によれば、延長作業機体の耕耘軸の両端部は回転自在に支持され、この両端部のうち作業機本体側部を支持する支持部は、耕耘軸を僅かに移動可能に支持することにより、作業機本体側の耕耘軸の支持をフリーな状態にすることができる。このため、延長作業機体の耕耘軸の作業機本体側の軸端部と作業機本体の耕耘軸の軸端部とに接合部を設けた場合、延長作業機体を回動させて接合部を接続させるときに、延長作業機体の耕耘軸の作業機本体側部は、該耕耘軸の反対側の端部を支点として周方向に僅かに動くことができる。このため、接合部の噛み合いを良くすることができ、延長作業機体の耕耘軸と作業機本体のそれとを同軸上に配置することができ、延長作業機体の耕耘軸の偏心回転を防止することができる。その結果、接合部に集中して偏心力が作用することが無くなり、接合部の損傷を防止することができる。
【手続補正５】
【補正対象書類名】明細書
【補正対象項目名】００１０
【補正方法】変更
【補正の内容】
【００１０】
この発明によれば、耕耘軸の作業機本体側部を支持する支持部と耕耘軸との間に隙間を形成することにより、延長作業機体の耕耘軸の作業機本体側の軸端部と作業機本体の耕耘軸の軸端部とに接合部を設けた場合、延長作業機体を回動させて接合部を接続させるときに、延長作業機体の耕耘軸の作業機本体側部は、該耕耘軸の反対側の端部を支点として周方向に僅かに動くことができる。このため、接合部の噛み合いを良くすることができ、延長作業機体の耕耘軸と作業機本体のそれとを同軸上に配置することができ、延長作業機体の耕耘軸の偏心回転を防止することができる。さらに、耕耘軸が回転しているときには、耕耘軸が支持部と接触することはない。このため、耕耘軸の回転をスムースにすることができ、動力伝達が確実に行なわれ、各部品の寿命低下を防止することができる。
【手続補正６】
【補正対象書類名】明細書
【補正対象項目名】００１３
【補正方法】変更
【補正の内容】
【００１３】
本発明に係わる折り畳み農作業機によれば、延長作業機体の耕耘軸の両端部を回転自在に支持し、この両端部のうち作業機本体側部を支持する支持部は耕耘軸を僅かに移動可能に支持することにより、接合部の噛み合いをよくし、延長側ロータの軸心を本体側ロータの軸心と同軸上に配置して延長側ロータが偏心回転する虞のない折り畳み農作業機を提供することができる。
【手続補正７】
【補正対象書類名】明細書
【補正対象項目名】００１５
【補正方法】変更
【補正の内容】
【００１５】
耕耘作業機１は、図１（ａ）（背面図）、（ｂ）（平面図）、（ｃ）（側面図）に示すように、走行機体９０の後部に装着されて走行機体９０の前進走行とともに進行して耕耘作業を行うものであり、作業機の幅方向（以下、「左右方向」と記す。）に延びる作業機本体１０と、作業機本体１０の左右両側に上下方向に折り畳み自在に取り付けられた延長作業機体３０とを有して構成される。
【手続補正８】
【補正対象書類名】明細書
【補正対象項目名】００１７
【補正方法】変更
【補正の内容】
【００１７】
耕耘ロータ１７の後方側には、耕耘ロータ１７の上方から後方側へ延びて上下方向に回動可能に取り付けられた整地体２０及び整地体２０の先端部に上下方向に回動可能に取り付けられた整地体２１が設けられている。整地体２１の左右両端部には延長整地体２２が上下方向に回動自在に取り付けられている。なお、図１（ｄ）（作業機本体１０の側面図）に示すように、作業機本体１０には、耕耘作業機１を走行機体９０から取り外した状態で耕耘作業機１の移動を可能にするキャスタ２４が着脱可能に設けられている。
【手続補正９】
【補正対象書類名】明細書
【補正対象項目名】００１８
【補正方法】変更
【補正の内容】
【００１８】
耕耘ロータ１７は、図２（一部断面背面図）に示すように、耕耘軸１７ａに複数の耕耘爪１７ｂが左右方向に所定間隔を有して配置されて放射状に取り付けられて構成されており、伝動ケース１４及びサポートフレーム１５に取り付けられたベアリング１４ａ，１５ａを介して回転自在に支持されている。
【手続補正１０】
【補正対象書類名】明細書
【補正対象項目名】００２０
【補正方法】変更
【補正の内容】
【００２０】
耕耘ロータ１７の耕耘軸１７ａと延長耕耘ロータ３１の耕耘軸３１ａは接合部６０を介して連結されるようになっている。この接合部６０は、耕耘ロータ１７の耕耘軸１７ａの端部に取り付けられた接続部６１と、延長耕耘ロータ３１の耕耘軸３１ａの端部に取り付けられた被接続部６３とを有してなる。接続部６１は、図１（ｄ）に示す円盤状の本体部６１の周面に所定間隔を有して放射状に配置された複数の突出部６１ｂを有してなる。一方、被接続部６３は、図示していないが、左右方向に筒状に延びる周壁部の先端側端部に係合凹部を周方向に所定間隔を有して配設して構成されている。被接続部６３の係合凹部に接続部６１の突出
部６１ｂが係合すると、被接続部６３が接続部６１に連結されて、耕耘ロータ１７の回転力を延長耕耘ロータ３１に伝達することが可能になるとともに、被接続部６３の接続部６１に対する心出しが行われて、延長耕耘ロータ３１の耕耘軸３１ａの軸心を耕耘ロータ７１のそれに対して同軸上に配置することができる。
【手続補正１１】
【補正対象書類名】明細書
【補正対象項目名】００２１
【補正方法】変更
【補正の内容】
【００２１】
前述した延長耕耘ロータ３１の耕耘軸３１ａの端部を支持する支持部３３は、図２及び図３（前方から見た一部断面拡大図）に示すように、延長耕耘ロータ３１を覆うカバー部３２に取り付けられて延長耕耘ロータ３１側へ延びる腕部３４と、腕部３４の先端部に取り付けられて耕耘軸３１ａの端部３１ａ１を支持する支持本体部３７とを有してなる。腕部３４は、カバー部３２に取り付けられた第１腕部３４ａと、第１腕部３４ａの先端部に締結部材３５を介して締結された第２腕部３４ｂとを有してなる。また締結部材３５が第１腕部３４ａ、第２腕部３４ｂとの各々に設けた前後方向及び上下方向に延びる長孔を移動できる構成にすることで、第２腕部３４ｂは第１腕部３４ａに対する締結位置調整が可能であり、このため、第１腕部３４ａに対する第２腕部３４ｂの取付位置を変えることで、支持本体部３７の位置調整ができる。支持本体部３７は円環状に形成されており、内側に貫通する挿通孔３７ａの内径は、支持される耕耘軸３１ａの端部３１ａ１の外径よりも大きい。このため、耕耘軸３１ａの端部３１ａ１は支持本体部３７に遊嵌して支持された状態で僅かに周方向に移動可能である。つまり、接合部６０が非連結状態の時は、耕耘軸３１ａは挿通孔３７ａに接していることになる。支持本体部３７は、耕耘ロータ１７の耕耘軸１７ａと延長耕耘ロータ３１の耕耘軸３１ａが接合部６０を介して連結されると、挿通孔３７ａの内面と耕耘軸３１
ａの端部３１ａ１の外面との間に隙間３９が形成されるように配置される。この時、端部３１ａ１の外周あるいは挿通孔３７ａの内周に緩衝材又は耐摩擦材としてのゴムや樹脂性部材を配設することもできる。
【手続補正１２】
【補正対象書類名】明細書
【補正対象項目名】００２７
【補正方法】変更
【補正の内容】
【００２７】
なお、図４（一部断面背面図）に示すように、作業機本体１０側の耕耘軸３１ａの端部３１ａ１を、支持部３３'及び弾性体４３を介して支持するようにしてもよい。即ち、図５（前方から見た拡大断面図）に示すように、支持本体部３７'に挿着されたベアリング３７ｂに耕耘軸３１ａの端部３１ａ２を嵌合した状態で支持し、支持本体部３７'に取り付けられた第２腕部３４ｂを、弾性体（例えば、ゴム）４３を介して第１腕部３４ａに締結して連結する。このようにすると、動力が耕耘ロータ側から接合部を介して延長耕耘ロータ３１の耕耘軸３１ａに伝達されるときに、接合部６０の心出しが不十分であるときには、弾性体４３が変形し、接合部６０を正確に心出しさせる。このため、接合部６０の心出しが確実になり、その結果、接合部６０が偏摩耗する虞を未然に防止して、接合部６０の寿命低下を防止することができる。また接合部６０の噛合いがより正確になるので、接合部６０の着脱動作をスムースにすることができる。
【手続補正１３】
【補正対象書類名】明細書
【補正対象項目名】００２８
【補正方法】変更
【補正の内容】
【００２８】
【図１】本発明の一実施の形態に係わる耕耘作業機を示し、同図（ａ）は耕耘作業機の背面図であり、同図（ｂ）は耕耘作業機の平面図であり、同図（ｃ）は耕耘作業機の側面図であり、同図（ｄ）は作業機本体の側面図である。
【図２】耕耘作業機の耕耘ロータ及び延長耕耘ロータの後方から見た断面図を示す。
【図３】延長耕耘ロータの耕耘軸の端部を支持する支持部の前方から見た一部断面拡大図を示す。
【図４】耕耘作業機の耕耘ロータ及び延長耕耘ロータの後方から見た断面図を示す。
【図５】延長耕耘ロータの耕耘軸の端部を支持する他の支持部の前方から見た一部断面拡大図を示す。
【図６】従来の延長耕耘ロータと耕耘ロータを連結するクラッチを示す。
【手続補正１４】
【補正対象書類名】図面
【補正対象項目名】図１
【補正方法】変更
【補正の内容】
【図１】
2006280247.tif 000001
【手続補正１５】
【補正対象書類名】図面
【補正対象項目名】図２
【補正方法】変更
【補正の内容】
【図２】
2006280247.tif 000002
【手続補正１６】
【補正対象書類名】図面
【補正対象項目名】図３
【補正方法】変更
【補正の内容】
【図３】
2006280247.tif 000003
【手続補正１７】
【補正対象書類名】図面
【補正対象項目名】図４
【補正方法】変更
【補正の内容】
【図４】
2006280247.tif 000004